(57)【特許請求の範囲】
【請求項１】
店舗に来店した顧客が所持する携帯情報端末とインターネットを介して接続可能であると共に，各店舗に設置された通信機能を有する店舗レジスタ，及び決済機関の照会システムと通信回線を介して接続可能に構成された決済処理サーバを設け，
前記決済処理サーバが，
前記店舗レジスタで入力された売上明細情報を受信したとき，所定の記憶領域に前記売上明細情報を記憶すると共に，該売上明細情報に係る取引の決済用に生成するＷｅｂページである個別決済ページに前記携帯情報端末を誘導可能な誘導情報を前記店舗レジスタに返信する，誘導情報出力処理，
前記携帯情報端末からインターネットを介して前記誘導情報に従った前記個別決済ページへの接続要求があったとき，該要求を行った携帯情報端末に，前記売上明細情報のうちの少なくとも売上金額の表示と共に，クレジットカードのカード番号及び有効期限の入力欄を含む個別決済ページを表示させる，決済ページ表示処理，
前記携帯情報端末から前記個別決済ページを介して入力されたクレジットカードのカード番号及び有効期限を伴う決済要求を受信して，該決済要求に対する照会要求を，前記決済機関の前記照会システムに送信する，照会実行処理，
前記照会システムからの照会結果を受信して，該照会結果を前記店舗レジスタ及び前記携帯情報端末のそれぞれに送信する，照会結果出力処理，
を行うことを特徴とするカード決済方法。
【請求項２】
前記誘導情報出力処理において前記店舗レジスタに返信される前記誘導情報が，前記個別決済ページを含むＷｅｂサイトの検索ページのＵＲＬと，前記売上明細情報を特定するコードである売上コードによって構成され，
前記決済ページ表示処理において，前記決済処理サーバが，前記誘導情報に含まれるＵＲＬを指定して接続要求を行った前記携帯情報端末に，売上コードの入力欄を有する前記検索ページを表示させると共に，該検索ページの入力欄に対する前記売上コードの入力により，該入力を行った携帯情報端末に前記個別決済ページを表示させることを特徴とする請求項１記載のカード決済方法。
【請求項３】
前記誘導情報出力処理において前記店舗レジスタに返信される前記誘導情報が，前記個別決済ページのＵＲＬであり，
前記決済ページ表示処理において，前記決済処理サーバが，前記誘導情報に対応するＵＲＬを指定した前記携帯情報端末に対し，前記個別決済ページを直接表示させることを特徴とする請求項１記載のカード決済方法。
【請求項４】
前記誘導情報出力処理によって前記決済処理サーバより前記誘導情報を受け取った前記店舗レジスタが，該店舗レジスタのディスプレイに前記誘導情報を表示し，及び／又は，該店舗レジスタのプリンタで前記誘導情報を印刷する，誘導情報表示／印刷処理を行うことを特徴とする請求項２又は３記載のカード決済方法。
【請求項５】
誘導情報表示／印刷処理において，前記店舗レジスタが，前記誘導情報のうちＵＲＬに係る部分を，携帯情報端末に設けられたカメラで読み取り可能なコードとして前記ディスプレイに表示し，及び／又は前記プリンタで印刷することを特徴とする請求項４記載のカード決済方法。
【請求項６】
前記店舗レジスタに非接触型ＩＣカード用のＩＣカードライタを設け，前記誘導情報出力処理によって前記決済処理サーバより前記誘導情報を受け取った前記店舗レジスタが，前記ＩＣカードライタを介して前記誘導情報に含まれるＵＲＬを，前記売上明細情報に係る取引を行った顧客の携帯情報端末の非接触型ＩＣに書き込む，ＵＲＬ書込処理を行うことを特徴とする請求項２〜５いずれか１項記載のカード決済方法。
【請求項７】
前記照会結果出力処理によって前記決済処理サーバより照会結果を受信した前記店舗レジスタが，受信した照会結果が決済の承認であるとき，カード決済の承認がされた取引内容の明細をレシートとして印刷する，レシート印刷処理を行うことを特徴とする請求項１〜６いずれか１項記載のカード決済方法。
【請求項８】
店舗に来店した顧客が所持する携帯情報端末とインターネットを介して接続可能であると共に，各店舗に設置された通信機能を有する店舗レジスタ，及び決済機関の照会システムと通信回線を介して接続可能に構成されたサーバコンピュータであって，
前記店舗レジスタで入力された売上明細情報を受信したとき，所定の記憶領域に前記売上明細情報を記憶すると共に，該売上明細情報に係る取引の決済用に生成するＷｅｂページである個別決済ページに前記携帯情報端末を誘導可能な誘導情報を前記店舗レジスタに返信する，誘導情報出力手段，
前記携帯情報端末からインターネットを介して前記誘導情報に従った前記個別決済ページへの接続要求があったとき，該要求を行った携帯情報端末に，前記売上明細情報のうちの少なくとも売上金額の表示と共に，クレジットカードのカード番号及び有効期限の入力欄を含む個別決済ページを表示させる，決済ページ表示手段，
前記携帯情報端末から前記個別決済ページを介して入力されたクレジットカードのカード番号及び有効期限を伴う決済要求を受信して，該決済要求に対する照会要求を，前記決済機関の前記照会システムに送信する，照会実行手段，及び，
前記照会システムからの照会結果を受信して，該照会結果を前記店舗レジスタ及び前記携帯情報端末のそれぞれに送信する，照会結果出力手段，
を備えた，カード決済用の決済処理サーバ。
【請求項９】
前記誘導情報出力手段が前記店舗レジスタに返信する前記誘導情報が，前記個別決済ページを含むＷｅｂサイトの検索ページのＵＲＬと，前記売上明細情報を特定するコードである売上コードによって構成され，
前記決済ページ表示手段が，前記誘導情報に含まれるＵＲＬを指定して接続要求を行った前記携帯情報端末に，売上コードの入力欄を有する前記検索ページを表示させると共に，該検索ページの入力欄に対する前記売上コードの入力により，該入力を行った携帯情報端末に前記個別決済ページを表示させることを特徴とする請求項８記載のカード決済用の決済処理サーバ。
【請求項１０】
前記誘導情報出力手段が前記店舗レジスタに返信する前記誘導情報が，前記個別決済ページのＵＲＬであり，
前記決済ページ表示手段が，前記誘導情報に対応するＵＲＬを指定した前記携帯情報端末に対し，前記個別決済ページを直接表示させることを特徴とする請求項８記載のカード決済用の決済処理サーバ。
【請求項１１】
各店舗に設置された通信機能を有する店舗レジスタ，店舗に来店した顧客が所持する携帯情報端末，及び決済機関の照会システムと，
前記携帯情報端末とインターネットを介して接続可能であると共に，前記店舗レジスタ及び前記照会システムと通信回線（インターネットを含む）を介して接続可能に構成された，サーバコンピュータである決済処理サーバによって構成され，
前記決済処理サーバが，
前記店舗レジスタで入力された売上明細情報を受信したとき，所定の記憶領域に前記売上明細情報を記憶すると共に，該売上明細情報に係る取引の決済用に生成するＷｅｂページである個別決済ページに前記携帯情報端末を誘導可能な誘導情報を前記店舗レジスタに返信する，誘導情報出力手段，
前記携帯情報端末からインターネットを介して前記誘導情報に従った前記個別決済ページへの接続要求があったとき，該要求を行った携帯情報端末に，前記売上明細情報のうちの少なくとも売上金額の表示と共に，クレジットカードのカード番号及び有効期限の入力欄を含む個別決済ページを表示させる，決済ページ表示手段，
前記携帯情報端末から前記個別決済ページを介して入力されたクレジットカードのカード番号及び有効期限を伴う決済要求を受信して，該決済要求に対する照会要求を，前記決済機関の前記照会システムに送信する，照会実行手段，及び，
前記照会システムからの照会結果を受信して，該照会結果を前記店舗レジスタ及び前記携帯情報端末のそれぞれに送信する，照会結果出力手段，
を備えることを特徴とするカード決済システム。
【請求項１２】
前記誘導情報出力手段が前記店舗レジスタに返信する前記誘導情報が，前記個別決済ページを含むＷｅｂサイトの検索ページのＵＲＬと，前記売上明細情報を特定するコードである売上コードによって構成され，
前記決済ページ表示手段が，前記誘導情報に含まれるＵＲＬを指定して接続要求を行った前記携帯情報端末に，売上コードの入力欄を有する前記検索ページを表示させると共に，該検索ページの入力欄に対する前記売上コードの入力により，該入力を行った携帯情報端末に前記個別決済ページを表示させることを特徴とする請求項１１記載のカード決済システム。
【請求項１３】
前記誘導情報出力手段が前記店舗レジスタに返信する前記誘導情報が，前記個別決済ページのＵＲＬであり，
前記決済ページ表示手段が，前記誘導情報に対応するＵＲＬを指定した前記携帯情報端末に対し，前記個別決済ページを直接表示させることを特徴とする請求項１１記載のカード決済システム。
【請求項１４】
前記店舗レジスタが，前記決済処理サーバより受け取った前記誘導情報をディスプレイに表示し，及び／又は，プリンタで印刷する，誘導情報表示／印刷手段を有することを特徴とする請求項１２又は１３記載のカード決済システム。
【請求項１５】
前記誘導情報出力手段が，前記誘導情報に含まれる情報のうち，ＵＲＬに係る部分を前記携帯情報端末に設けられているカメラで読み取り可能なコードに変換して出力することを特徴とする請求項１２〜１４いずれか１項記載のカード決済システム。
【請求項１６】
前記店舗レジスタの前記誘導情報表示／印刷手段が，前記決済処理サーバより受信した前記誘導情報のうちのＵＲＬに係る部分を前記携帯情報端末に設けられているカメラで読み取り可能なコードに変換して，前記ディスプレイに表示し，及び／又は前記プリンタで印刷することを特徴とする請求項１２〜１４いずれか１項記載のカード決済システム。
【請求項１７】
前記店舗レジスタに非接触型ＩＣカード用のＩＣカードライタを設けると共に，前記誘導情報のうちのＵＲＬに係る部分を前記ＩＣカードライタを介して携帯情報端末の非接触型ＩＣに書き込む，ＵＲＬ書込手段を設けたことを特徴とする請求項１２〜１６いずれか１項記載のカード決済システム。
【請求項１８】
前記店舗レジスタが，前記決済処理サーバより受信した前記照会結果が決済の承認であるとき，プリンタにカード決済の承認がされた取引内容の明細をレシートとして印刷させる，レシート印刷手段を備えたことを特徴とする請求項１１〜１７いずれか１項記載のカード決済システム。
【請求項１９】
前記店舗レジスタが，無線送受信機能を備えた本体と，前記本体とは別体として形成されていると共に，前記本体と無線通信可能で，且つ，入力手段を有する可搬式ディスプレイを備えたことを特徴とする請求項１１〜１８いずれか１項記載のカード決済システム。
【請求項２０】
前記店舗レジスタの本体が，前記無線送受信機能として移動体通信網の無線基地局間との通信機能を有すると共に，前記本体と前記可搬式ディスプレイにそれぞれバッテリを搭載したことを特徴とする請求項１９記載のカード決済システム。
【請求項２１】
サーバコンピュータに請求項１〜３いずれか１項記載のカード決済方法を行わせるプログラム。
【請求項２２】
サーバコンピュータに請求項１〜３いずれか１項記載のカード決済方法を行わせるためのプログラムを記録した記録媒体。
【発明の詳細な説明】
【技術分野】
【０００１】
本発明は，携帯情報端末を使用したカード決済方法，前記方法を実施するための決済処理サーバ，決済システム及びプログラム，並びに前記プログラムを記録した記録媒体に関し，より詳細には，実店舗（仮想空間に存在する店舗ではなく，現実に存在する店舗。）でのクレジットカード決済を，携帯電話機，スマートフォン等のＰＤＡ，その他の携帯情報端末を使用して行うことができるようにした新規なカード決済方法，前記方法を実施する決済処理サーバ，該管理サーバを含むカード決済システム，サーバコンピュータに前記決済処理を行わせるプログラム，並びに前記プログラムを記録した記録媒体に関する。
【背景技術】
【０００２】
現金を持ち歩くことなく購入した商品や提供を受けたサービスに対する支払いを行うことができるクレジットカード決済は広く一般に普及しており，特に，利用金額に応じてポイントが付与されるポイントサービスや，提携航空会社のマイレージを付与するマイレージサービス等による誘引によって，支払い時，現金ではなくむしろクレジットカードによる決済を選択する消費者も増えており，クレジットカードによる決済が可能であるか否かは，顧客が店舗を選ぶ際に考慮する条件の一つとなっている。
【０００３】
このようなクレジットカードによる決済を可能とするためには，店舗側において予め信販会社や決済代行業者等の決済機関との間で契約を交わしておく等の手続面での準備が必要となるだけでなく，店舗側設備として，レジスタ等の通常の店舗に装備されている機器の他に，クレジットカードに記録された情報を読み取るためのカードリーダや，決済機関との間でカード情報の照会を行うための通信手段等を備えた高価なカード決済装置を設置する必要がある等，設備面においても店舗側に負担を強いるものとなっている。
【０００４】
その結果，比較的小規模の小売店等では，依然としてクレジットカードによる決済を導入していない店舗も多く，このような店舗では，購入意欲があり，且つクレジットカードを所持しているが現金の持ち合わせが無い客，ポイントサービス，マイレージサービスによる誘引等により現金ではなくクレジットカードでの支払いを望む客を取り逃がすことも多い。
【０００５】
そのため，高価なカード決済装置を導入することなく，比較的簡易にカード決済を行えるシステムを構築することが望まれており，このようなシステムを構築することができれば，小規模の店舗等であっても初期投資を低く抑えてカード決済を導入することができ，今までカード決済の導入に二の足を踏んでいた小売店等における新たな需要の掘り起こしが期待できる。
【０００６】
ここで，クレジットカードによる決済に関するものではないが，クレジットカード未加盟の小売店に対しても，クレジットカードによる決済と同様，現金によらない信用販売を行えるようにすることを目的として，携帯電話をクレジットカード代わりに利用できるようにした決済方法も提案されている（特許文献１参照）。
【０００７】
この決済方法は，店舗のＰＯＳ端末から料金情報を，該店舗で買い物をした利用者の携帯電話機に例えば「ブルートゥース」等の近距離通信や，ＩＳＯ１４４４３規格の非接触ＩＣカード等を利用して直接送信する。
【０００８】
そして，利用者は，料金情報を受信した携帯電話機から通信事業者の決済支援システムに決済依頼情報と料金情報を送信し，決済支援システムにおいて通信事業者から店舗への料金支払いについての決済処理が行われ，決済支援システムから携帯電話機に決済通知情報を送信する。
【０００９】
店舗との間の決済が完了した後，通信事業者は利用者から携帯使用料金の引き落としと一緒に当該利用者が行った買物代金の引き落としを行うことで，携帯電話の通信事業者が，決済代行業者や信販会社に代わり決済代行を行うものとしている。
【００１０】
なお，ＰＯＳ（販売時点情報管理）システムとして，各店舗のＰＯＳレジスタにインターネット，その他の通信網を利用した通信機能を持たせることにより，店舗外に設けられた管理センターに，複数店舗のＰＯＳデータを一括して管理する，例えばＡＳＰ（アプリケーション サービス プロバイダ）が提供するＰＯＳサーバを設置することで，従来，各店舗に配備していた店舗サーバを不要とすることも提案されており，このようなＰＯＳシステムの構築により，小規模の小売店等であってもＰＯＳシステムを提供するＡＳＰに例えば月額使用料を支払う等することで，店舗サーバ等の高価な機器を店舗毎に導入することなく，従って初期投資を低く抑えてＰＯＳシステムを導入できるようにすることも提案されている（非特許文献１）。
【先行技術文献】
【特許文献】
【００１１】
【特許文献１】特開２００６−３３１４３７号公報
【非特許文献】
【００１２】
【非特許文献１】Ｗｅｂ−ＰＯＳシステム「Ｗｅｂｅｅ」の説明文（株式会社セラシステムのホームページ；http://www.cela.co.jp/webee/index.html）
【発明の概要】
【発明が解決しようとする課題】
【００１３】
前述したように，既知のクレジットカード決済を採用するに際し，店舗側は，カードリーダやカード情報を照会するための通信手段等を備えた高価なカード決済装置を店舗毎に設置する必要があり，店舗側は多大な初期投資を強いられるものとなっていた。
【００１４】
しかも，従来のカード決済方法では，このようなカード決済装置を使用することが，カード犯罪で多用される「スキミング（Skimming）」の被害を発生させる原因となっていた。
【００１５】
すなわち「スキミング」とは，クレジットカードに貼着されている磁気テープやＩＣチップに書き込まれている情報を盗み取り，まったく同じ情報を持つカードを複製するものであり，「スキマー」と呼ばれる装置でカードに記録されているデータを読み取り，又は，店舗に設置されたカードリーダに，読み取ったカードの情報を記録，または送信・中継する部品を不正に組み込むことによって行われる。
【００１６】
従って，クレジットカードを他人に手渡さない，カードリーダを通さない，カード情報を他人に教えない，ということがスキミングを回避するための最も有効な手段であるが，従来より行われているカード決済装置を使用した決済では，この装置に設けられたカードリーダによってクレジットカードに記録された情報の読み取りが行わるだけでなく，この作業は，通常，店舗側の人間（店員等）が行うことから，精算時，顧客は一旦クレジットカードを他人（店員等）に手渡す必要があり，この際に，前述したスキミングによってクレジットカードの情報が盗まれ，また，カード番号や有効期限等が控えられてしまう可能性がある。
【００１７】
特に，レストラン等においてテーブルに着いたまま精算を行おうとした場合のように，カードの受け渡しが行われる場所（例えば「テーブル」）と，カード決済装置の設置場所（例えば「レジ」）が離れている場合には，クレジットカードの読み取り，その他の処理が顧客の目の届かない場所で行われ，しかも，カードが比較的長時間，顧客の手元を離れることとなるため，顧客が感じる不安も大きい。
【００１８】
そのため，カードリーダによるカード情報の読み取りを行うことなく，かつ，カードに記録された情報を店員等に知らせることなしにカード決済を行うことができれば，顧客がスキミング等の犯罪被害に遭う機会を大幅に低減させることができるだけでなく，店舗側は，カードリーダ等を備えた既知のカード決済装置を設置する必要がなく，カード決済の導入に際して初期投資を大幅に低減することができる。
【００１９】
前述したような従来のカード決済方法に対し，特許文献１に記載の方法は，クレジットカードによる決済に関するものではないが，顧客は，ＰＯＳレジスタから料金情報を単距離無線通信や非接触型ＩＣによる通信によって直接，携帯電話機で受信し，この情報に基づいて，顧客が自らの手で通信事業者に対し決済依頼を行うことで，通信事業者が小売店に対する決済の代行を行うと共に，その後，通信事業者は携帯使用料金等と一緒に決済代金の回収を行うことで，携帯電話機に，クレジットカードに類似の機能を持たせることができる。
【００２０】
しかも，クレジットカードに代わる携帯電話機は，顧客自身によって操作されるため，例えば携帯電話番号，携帯電話機の固体識別番号，必要に応じて携帯電話機を介して入力される暗証番号等が他人に知られる危険性も少ない。
【００２１】
しかし，前掲の特許文献１に記載の方法は，クレジットカードによる決済とは決済方法そのものが異なるため，クレジットカード決済にまつわる前述した各種の問題点を解消できるものとはなっていない。
【００２２】
また，クレジットカードによる決済ではないため，クレジットカード決済に関し既に確立している既存のシステムを利用することができず，通信事業者による決済代行を可能とするための全く新たなシステム構築が必要となる。
【００２３】
しかも，特許文献１に記載の方法による決済を行うためには，顧客が，決済代行を行う通信事業者が提供する携帯電話サービスのユーザであり，且つ，この通信事業者との間で決済代行の契約を結んでいる必要があり，上記方法による決済を利用できる顧客層が極めて限定されるため，この決済方法を導入するとしても，クレジットカードによる決済と平行して採用されるものとなることが予測される。
【００２４】
加えて，上記特許文献１に記載の方法では，顧客側はクレジットカードに代わる携帯電話機を終始手元に置いたままで決済を終了させることができることから，不正に情報が盗まれるといった被害から保護され得るが，店舗側は，ＰＯＳレジスタで入力した料金情報を顧客の携帯電話機に送信すると，その後の処理は顧客の携帯電話機と通信事業者のシステム間のみで進められ，店舗側には，携帯電話機のディスプレイ上に表示された決済通知情報（通信事業者側で決済申請を受け付けたことの通知）が提示されるのみである（特許文献１［0034］欄他）。
【００２５】
そのため，顧客側において不正が行われ，実際には決済申請や決済申請の受付が行われていなかったとしても，店舗側ではこれを確認することができず，店舗側が詐欺等の犯罪に遭う危険性がある。
【００２６】
また，上記のようにＰＯＳレジスタで入力した料金情報を顧客の携帯電話機に送信した後の処理は，顧客の携帯電話機と通信事業者のシステム間のみで行われるため，店舗側に設けられているＰＯＳシステムによる販売時点情報管理はクレジットカードの決済とは別に行う必要があると共に，カード決済に際し，ＰＯＳシステムのデータベースに記録されているデータを利用することもできない。
【００２７】
そこで本発明は，上記従来技術における欠点を解消するために成されたものであり，店舗側は，カードリーダ等を備えた既知のカード決済装置を導入する必要なしにクレジットカード決済を導入することが可能になると共に，顧客側は，クレジットカードを他人に手渡すことも，カードリーダにクレジットカードを通すことも，更には，カード情報を他人に知らせることもなしに，クレジットカードによる決済を完了することができ，店舗側，顧客側の双方とってメリットがあると共に安全性の高い，カード決済方法，前記方法を実現するための決済処理サーバ，前記決済処理サーバを含むカード決済システムを提供することを目的とする。
【課題を解決するための手段】
【００２８】
以下に，課題を解決するための手段を，発明を実施するための形態で使用する符号と共に記載する。この符号は，特許請求の範囲の記載と発明を実施するための形態の記載との対応を明らかにするためのものであり，言うまでもなく，本願発明の技術的範囲の解釈に制限的に用いられるものではない。
【００２９】
上記課題を達成するために，本発明の携帯情報端末を使用したカード決済方法は，
店舗に来店した顧客が所持する携帯情報端末４０とインターネットを介して接続可能であると共に，各店舗に設置された通信機能を有する店舗レジスタ３０，及び決済機関の照会システム５０と通信回線を介して接続可能に構成された決済処理サーバ１０を設け，
前記決済処理サーバ１０が，
前記店舗レジスタ３０で入力された売上明細情報を受信したとき，所定の記憶領域に前記売上明細情報を記憶すると共に，該売上明細情報に係る取引の決済用に生成するＷｅｂページである個別決済ページ７０に前記携帯情報端末４０を誘導可能な誘導情報を前記店舗レジスタ３０に返信する，誘導情報出力処理，
前記携帯情報端末４０からインターネットを介して前記誘導情報に従った前記個別決済ページ７０への接続要求があったとき，該要求を行った携帯情報端末４０に，前記売上明細情報のうちの少なくとも売上金額の表示と共に，クレジットカードのカード番号及び有効期限の入力欄を含む個別決済ページ７０を表示させる，決済ページ表示処理，
前記携帯情報端末４０から前記個別決済ページ７０を介して入力されたクレジットカードのカード番号及び有効期限を伴う決済要求を受信して，該決済要求に対する照会要求を，前記決済機関の前記照会システム５０に送信する，照会実行処理，
前記照会システム５０からの照会結果を受信して，該照会結果を前記店舗レジスタ３０及び前記携帯情報端末４０のそれぞれに送信する，照会結果出力処理，
を行うことを特徴とする（請求項１）。
【００３０】
前記誘導情報出力処理において前記店舗レジスタ３０に返信される前記誘導情報が，前記個別決済ページ７０を含むＷｅｂサイトの検索ページ６０のＵＲＬと，前記売上明細情報を特定するコードである売上コードによって構成され，
前記決済ページ表示処理において，前記決済処理サーバ１０が，前記誘導情報に含まれるＵＲＬを指定して接続要求を行った前記携帯情報端末４０に，売上コードの入力欄６１を有する前記検索ページ６０を表示させると共に，該検索ページ６０の入力欄６１に対する前記売上コードの入力により，該入力を行った携帯情報端末４０に前記個別決済ページ７０を表示させるように構成することができる（請求項２）。
【００３１】
又は，前記誘導情報出力処理において前記店舗レジスタ３０に返信される前記誘導情報が，前記個別決済ページ７０のＵＲＬであり，
前記決済ページ表示処理において，前記決済処理サーバ１０が，前記誘導情報に対応するＵＲＬを指定した前記携帯情報端末４０に対し，前記個別決済ページ７０を直接表示させるようにしても良い（請求項３）。
【００３２】
上記カード決済方法において，前記誘導情報出力処理によって前記決済処理サーバ１０より前記誘導情報を受け取った前記店舗レジスタ３０が，該店舗レジスタ３０のディスプレイ３２に前記誘導情報を表示し，及び／又は，該店舗レジスタ３０のプリンタ３６で前記誘導情報を印刷する，誘導情報表示／印刷処理を行うようにすることもできる（請求項４）。
【００３３】
この場合，誘導情報表示／印刷処理において，前記店舗レジスタ３０が，前記誘導情報のうちＵＲＬに係る部分を，携帯情報端末４０に設けられたカメラで読み取り可能なコードとして前記ディスプレイ３２に表示し，及び／又は前記プリンタ３６で印刷するようにすることが好ましい（請求項５）。
【００３４】
更に，前記誘導情報表示／印刷処理に代え，又は誘導情報表示／印刷処理と共に，前記店舗レジスタ３０に例えばＩＳＯ／ＩＥＣ １４４４３規格等の非接触型ＩＣカード用のＩＣカードライタ３８を設け，前記誘導情報出力処理によって前記決済処理サーバ１０より前記誘導情報を受け取った前記店舗レジスタ３０が，前記ＩＣカードライタ３８を介して前記誘導情報に含まれるＵＲＬを，前記売上明細情報に係る取引を行った顧客の携帯情報端末４０の非接触型ＩＣに書き込む，ＵＲＬ書込処理を行うように構成することもできる（請求項６）。
【００３５】
更に，上記いずれの方法においても，前記照会結果出力処理によって前記決済処理サーバ１０より照会結果を受信した前記店舗レジスタ３０が，受信した照会結果が決済の承認であるとき，カード決済の承認がされた取引内容の明細をレシートとして印刷する，レシート印刷処理を行うようにすることができる（請求項７）。
【００３６】
また，前述したカード決済方法を実現する，本発明の決済処理サーバ１０は，店舗に来店した顧客が所持する携帯情報端末４０とインターネットを介して接続可能であると共に，各店舗に設置された通信機能を有する店舗レジスタ３０，及び決済機関の照会システム５０と通信回線を介して接続可能に構成されたサーバコンピュータであり，
前記店舗レジスタ３０で入力された売上明細情報を受信したとき，所定の記憶領域に前記売上明細情報を記憶すると共に，該売上明細情報に係る取引の決済用に生成するＷｅｂページである個別決済ページ７０に前記携帯情報端末４０を誘導可能な誘導情報を前記店舗レジスタ３０に返信する，誘導情報出力手段１０ａ，
前記携帯情報端末４０からインターネットを介して前記誘導情報に従った前記個別決済ページ７０への接続要求があったとき，該要求を行った携帯情報端末４０に，前記売上明細情報のうちの少なくとも売上金額の表示と共に，クレジットカードのカード番号及び有効期限の入力欄を含む個別決済ページ７０を表示させる，決済ページ表示手段１０ｂ，
前記携帯情報端末４０から前記個別決済ページ７０を介して入力されたクレジットカードのカード番号及び有効期限を伴う決済要求を受信して，該決済要求に対する照会要求を，前記決済機関の前記照会システム５０に送信する，照会実行手段１０ｃ，及び，
前記照会システム５０からの照会結果を受信して，該照会結果を前記店舗レジスタ３０及び前記携帯情報端末４０のそれぞれに送信する，照会結果出力手段１０ｄ，
を備えることを特徴とする（請求項８）。
【００３７】
上記決済処理サーバ１０において，
前記誘導情報出力手段１０ａが前記店舗レジスタ３０に返信する前記誘導情報が，前記個別決済ページ７０を含むＷｅｂサイトの検索ページ６０のＵＲＬと，前記売上明細情報を特定するコードである売上コードによって構成され，
前記決済ページ表示手段１０ｂが，前記誘導情報に含まれるＵＲＬを指定して接続要求を行った前記携帯情報端末４０に，売上コードの入力欄６１を有する前記検索ページ６０を表示させると共に，該検索ページ６０の入力欄６１に対する前記売上コードの入力により，該入力を行った携帯情報端末４０に前記個別決済ページ７０を表示させるように構成することができる（請求項９）。
【００３８】
又は，前記構成に代え，前記誘導情報出力手段１０ａが前記店舗レジスタ３０に返信する前記誘導情報を，前記個別決済ページ７０のＵＲＬとし，
前記決済ページ表示手段１０ｂが，前記誘導情報に対応するＵＲＬを指定した前記携帯情報端末４０に対し，前記個別決済ページ７０を直接表示させるように構成しても良い（請求項１０）。
【００３９】
更に，本発明の決済システム１は，
各店舗に設置された通信機能を有する店舗レジスタ３０，店舗に来店した顧客が所持する携帯情報端末４０，及び決済機関の照会システム５０と，
前記携帯情報端末４０とインターネットを介して接続可能であると共に，前記店舗レジスタ３０及び前記照会システム５０と通信回線（インターネットを含む）を介して接続可能に構成された，前述したいずれかの決済処理サーバ１０によって構成されている（請求項１１〜１３）。
【００４０】
上記決済システム１の構成において，前記店舗レジスタ３０には，前記決済処理サーバ１０より受け取った前記誘導情報をディスプレイ３２に表示し，及び／又は，プリンタ３６で印刷する，誘導情報表示／印刷手段３０ｂを設けることができる（請求項１４）。
【００４１】
また，この決済システム１において，決済処理サーバ１０の前記誘導情報出力手段１０ａは，前記誘導情報に含まれる情報のうち，ＵＲＬに係る部分を前記携帯情報端末４０に設けられているカメラで読み取り可能なコードに変換して出力するようにしても良く（請求項１５），
又は，上記コードへの変換は，前記店舗レジスタ３０の前記誘導情報表示／印刷手段３０ｂ側において行い，前記ディスプレイ３２に表示し，及び／又は前記プリンタ３６で印刷するようにしても良い（請求項１６）。
【００４２】
更に，前記店舗レジスタ３０には，前記誘導情報表示／印刷手段３０ｂに代え，又は誘導情報表示／印刷手段３０ｂと共に，ＩＳＯ／ＩＥＣ １４４４３規格等の非接触型ＩＣカード用のＩＣカードライタ３８を設けると共に，前記誘導情報のうちのＵＲＬに係る部分を，前記ＩＣカードライタ３８を介して携帯情報端末４０の非接触型ＩＣに書き込む，ＵＲＬ書込手段３０ｃを設けるものとしても良い（請求項１７）。
【００４３】
更に，店舗レジスタ３０には，前記決済処理サーバ１０より受信した前記照会結果が決済の承認であるとき，プリンタ３６にカード決済の承認がされた取引内容の明細をレシートとして印刷させる，レシート印刷手段３０ｄを設けることもできる（請求項１８）。
【００４４】
更に，前記店舗レジスタ３０は，３ＧＷｉＦｉ等の無線送受信機能を備えた本体３１と，前記本体３１とは別体として形成されていると共に，前記本体３１と無線通信可能で，且つ，タッチパネルや操作キー等の入力手段を備えた携帯電話機，スマートフォン，電子ブックリーダ等のＰＤＡ，その他の携帯情報端末から成る可搬式ディスプレイ３２を設けることができる（請求項１９）。
【００４５】
この場合，前記店舗レジスタ３０の前記本体３１に，移動体通信網の無線基地局との接続を可能とする無線送受信機能を付与すると共に，該本体３１と前記可搬式ディスプレイ３２にそれぞれバッテリ（図示せず）を搭載することが好ましい（請求項２０）。
【００４６】
更に，本発明は，サーバコンピュータに，前述したカード決済方法（請求項１〜３）を行わせるためのプログラム（請求項２１），及び，該プログラムを記録した記録媒体（請求項２２）をその範囲に含む。
【発明の効果】
【００４７】
以上説明した本発明の構成により，本発明の携帯情報端末を使用したカード決済方法，前記方法を実現するための決済処理サーバ１０，前記決済処理サーバ１０を備えた決済システム１によれば，店舗側は，カードリーダ等を備えた既知のカード決済装置を導入することなく，決済処理サーバ１０との通信が可能な店舗レジスタ３０，例えばレジスタ用のソフトウェアを記憶させたパーソナルコンピュータや携帯情報端末を設置するだけで，クレジットカードによる決済を行うことが可能となると共に，顧客側は，店員等の他人に対しクレジットカードを渡すことも，クレジットカードをカードリーダに通すことも，更にはカード番号等のクレジットカードの情報を店員等に対し知らせることも無しに，精算を完了することができるために，カード情報を盗まれる危険性が大幅に低下することから，店舗側，顧客側の双方にとってメリットがあると共に，店舗側，顧客側の双方が決済処理に関与し，且つ，照会結果を通知されることで，双方にとって安全性の高いカード決済を実現することができた。
【００４８】
また，クレジットカードの決済処理を，店舗レジスタ３０から決済処理サーバ１０に売上明細情報を送信することを起点として開始することで，同様に売上明細情報（販売時点情報）を管理センターのＰＯＳサーバに送信して記録させる，従来技術として説明したＷｅｂ−ＰＯＳシステムを基幹とし，これに，決済処理サーバ１０と顧客の携帯情報端末４０間での処理を可能とすることで，既存のＷｅｂ−ＰＯＳシステムを利用して，本発明のカード決済システムを容易且つ比較的安価に構築することができた。
【００４９】
さらに，既存のＷｅｂ−ＰＯＳシステム上に本発明の決済システムを構築することで，既にＷｅｂ−ＰＯＳサービスの提供を受けている店舗では，ＰＯＳレジスタのプログラムを更新するだけで，新たな機器の導入なしに本発明のカード決済システムの導入が可能となった。
【００５０】
店舗レジスタ３０において，誘導情報を表示し，及び／又は印刷することで，この表示乃至は印刷された誘導情報に基づいて，顧客の携帯情報端末４０を所定のＷｅｂサイト上に設けた個別決済ページ７０に比較的容易に誘導することができた。
【００５１】
特に，この誘導情報のうち，ＵＲＬに係る部分を，例えば「ＱＲコード」（登録商標）等の二次元コード，その他，携帯情報端末４０に一般的に設けられているカメラによって読み取り可能なコードとして表示及び／又は印刷することで，又は，携帯情報端末４０に装備されているＩＳＯ／ＩＥＣ １４４４３規格等の非接触型ＩＣカードに，ＩＣカードライタ３８を使用してＵＲＬを書き込むことで，顧客に煩わしいＵＲＬの入力を行わせることなしに，顧客の携帯情報端末４０を個別決済ペーシ７０に誘導することができた。
【００５２】
更に，決済の承認がされた際，店舗レジスタ３０に，カード決済の承認がされた取引内容の明細を表示したレシートを印刷させることで，顧客に対して決済内容の控えとしてレシートを提示することができた。
【００５３】
なお，このレシートは，例えば顧客用と店舗用控えをそれぞれ印刷しておくと共に，店舗用控えにサイン欄を設け，ここに顧客のサインを得た後に店舗側でこれを回収，保管するようにしても良い。
【００５４】
なお，店舗レジスタ３０を，本体３１と，前記本体に対し無線通信可能で，且つ，タッチパネル等の入力手段を備えた可搬式ディスプレイ３２を備える構成とした場合には，例えばレストラン等におけるテーブルでの精算の際，店員がこの可搬式ディスプレイ３２をテーブルまで持参することで，各テーブルでの精算が容易となった。
【００５５】
更に，前記可搬式ディスプレイ３２と前記本体３１にそれぞれバッテリーを搭載した構成にあっては，店舗レジスタ３０に対する電力の供給が絶たれた場合であっても，店舗レジスタ３０を機能させることができるだけでなく，周辺地域における移動体通信網が機能していればクレジットカードによる決済を行うことも可能であり，停電時においても店舗の営業を継続することが可能である。
【図面の簡単な説明】
【００５６】
【図１】本発明の決済システムの全体構成を示す概略説明図。
【図２】本発明の決済システムの機能ブロック図。
【図３】店舗レジスタの構成例を示す説明図。
【図４】携帯情報端末の画面表示例（個別決済ページを含むＷｅｂサイトの検索ページを表示した状態）。
【図５】携帯情報端末の画面表示例（図４に対し売上コードを入力した状態）。
【図６】携帯情報端末の画面表示例（個別決済ページを表示した状態）。
【図７】店舗レジスタにおける処理フロー図。
【図８】決済処理サーバにおける処理フロー図。
【図９】携帯情報端末における処理フロー図。
【図１０】決済機関（決済代行業者）の照会システムにおける処理フロー図。
【発明を実施するための形態】
【００５７】
次に，本発明の好適な実施形態につき，添付図面を参照しながら以下説明する。
【００５８】
〔カード決済システムの全体構成〕
本発明のカード決済システム１は，図１に示すように，店舗に設けられた，通信機能を有する店舗レジスタ３０，該店舗で商品の購入やサービスの提供を受ける顧客が所持する携帯情報端末４０，決済代行業者や信販会社等の決済機関，本実施形態にあっては決済代行業者の照会システム５０，及び，前記携帯情報端末４０とインターネットを介して接続可能であると共に，前記店舗レジスタ３０，前記照会システム５０と通信回線（図示の例ではインターネット）を介して接続可能に構成された，サーバコンピュータによって構成される決済処理サーバ１０を備えている。
【００５９】
図１に示す実施形態は，本発明のカード決済システムを， ＡＳＰ（アプリケーション サービス プロバイダ）が提供するＷｅｂ−ＰＯＳシステムの一機能として実現可能としたものであり，前記店舗レジスタ３０として，各店舗にはインターネットを介して管理センターと通信可能な店舗レジスタが設けられていると共に，このＷｅｂ−ＰＯＳシステムにおける管理センターに設けられた，ＷｅｂサーバであるＰＯＳサーバ１１と，売上データ等を記録する記憶手段１３を備えた売上サーバ１２によって構成されたサーバコンピュータシステムにおいて，本発明の決済処理サーバ１０が実現されている。
【００６０】
もっとも，本発明のカード決済システムは，このようなＷｅｂ−ＰＯＳシステムとは独立して構築するものとしても良く，また，決済処理サーバ１０を複数のサーバコンピュータの組合せによって構築しているが，これを単一のサーバコンピュータによって形成しても良い。
【００６１】
また，図示の実施形態にあっては，店舗レジスタ３０，携帯情報端末４０，照会システム５０がいずれもインターネットを介して決済処理サーバ１０と接続可能に構成されている状態を示しているが，決済処理サーバ１０は，顧客の携帯情報端末４０との間でインターネットを介して接続可能なものであれば，店舗レジスタ３０や照会システム５０との間の接続方法は特に限定されず，例えば専用線を介して通信可能に構成するものであっても良い。
【００６２】
もっとも，後述するように店舗レジスタ３０の本体３１に，携帯電話機やスマートフォン等で一般的に採用されている３ＧＷｉＦｉ等の無線送受信機能を持たせ，携帯情報端末４０に対する接続ターミナルとしての機能を持たせた場合には，店舗レジスタ３０と決済処理サーバ１０間の接続についてもインターネットを介して行うように構成する。
【００６３】
また，レジスタ３０の本体３１には，好ましくは，移動体通信網の無線基地局に対する接続を可能とする無線送受信機能を持たせておき，無線，有線の双方にてインターネットに接続可能となっていることが好ましい。
【００６４】
〔決済処理サーバ〕
本発明のカード決済システム１の構成要素のうち，管理センターに設けられた決済処理サーバ１０は，その構成中にＷｅｂサーバ（図１の例においてＰＯＳサーバ１１）を含み，インターネットを介して顧客の携帯情報端末４０からの接続要求があったとき，該要求を行った携帯情報端末４０に対し，所定のＷｅｂページを表示させることができるように構成されている。
【００６５】
また，各店舗に設けられた店舗レジスタ３０，及び，決済代行業者の照会システム５０との間でデータの授受を行うことができるよう，通信回線を介して接続可能に構成されており，本実施形態にあっては，店舗レジスタ３０及び照会システム５０のいずれ共に，インターネットを介して接続可能に構成されている。
【００６６】
この，決済処理サーバ１０は，本発明のカード決済方法を適用する各店舗，本実施形態にあっては前述したＷｅｂ−ＰＯＳサービスを提供するＡＳＰと契約をしている各店舗の名称，住所，振り込み口座，その他の必要な情報を記録した店舗マスタ１３ａ，各店舗の取扱商品やサービスに関する情報，ＰＬＵデータ等を記録した，商品／サービスマスタ１３ｂ，及び各店舗の販売時点情報（売上明細情報）を記録する売上データベース１３ｃを有する記憶手段１３を備えており，Ｗｅｂ−ＰＯＳシステム上に本発明のカード決済システムを実現した本実施形態にあっては，これらの店舗マスタ１３ａ，商品／サービスマスタ１３ｂ，売上データベース１３ｃを，Ｗｅｂ−ＰＯＳシステムと共用しており，図示の実施形態にあっては，ＷｅｂサーバであるＰＯＳサーバ１１と，記憶手段１３を管理する売上サーバ１２の両サーバによって，本発明の決済処理サーバ１０が実現されている。
【００６７】
そして，前記決済処理サーバ１０は，予め記憶したプログラムの実行により，図２に示すように，カード決済を行うために必要な処理を実行する，誘導情報出力手段１０ａ，決済ページ表示手段１０ｂ，照会実行手段１０ｃ，及び，照会結果出力手段１０ｄの各手段をそれぞれ実現することができるようになっている。
【００６８】
誘導情報出力手段１０ａ
上記手段のうち，誘導情報出力手段１０ａは，決済処理サーバ１０が後述する店舗レジスタ３０より，少なくとも店舗を特定する情報，売上額，及び精算方法を含む売上明細情報を受信すると共に，この売上明細情報に含まれる精算方法が，カードによる精算を指定したものである場合に起動する手段であり，この手段の起動によって決済処理サーバ１０は，所定の記憶領域，図示の実施形態にあっては売上データベース１３ｃのうち当該売上に係る店舗に対して割り当てられた所定の記憶領域に，受信した売上明細情報を記憶すると共に，該取引についてのカード決済を行うために生成されるＷｅｂページである，個別決済ページ７０に対し，顧客の携帯情報端末を誘導するために必要な情報を，「誘導情報」として前記売上詳細情報の送信を行った店舗レジスタ３０に返信する。
【００６９】
決済処理サーバ１０が出力する，前述の「誘導情報」は，前述した個別決済ページ７０のＵＲＬそのものであって良く，又は，前記個別決済ページ７０を含むＷｅｂサイトの検索ページ６０のＵＲＬと，該検索ページ６０において個別決済ページに移動するために入力が要求される，前記売上明細情報を特定するためのコードである「売上コード」の組合せによって構成しても良い。
【００７０】
更には，例えば所定の検索サイト，例えばＡＳＰが広告料を支払っている検索サイト等におけるカテゴリ検索によって前述した検索ページ６０への誘導が可能であれば，検索サイト名とカテゴリの選択手順，一例として『「○○検索サイト」→「カテゴリ」→「マネー」→「オンライン決済」→「携帯カード決済」→「○○社カード決済ページ」』のようなカテゴリの選択手順と共に，選択後に表示された検索ページ６０に入力する売上コードを前述の誘導情報として出力するものとしても良い。
【００７１】
決済ページ表示手段１０ｂ
決済ページ表示手段１０ｂは，前述の誘導情報出力手段１０ａが出力した誘導情報に従って，インターネットを介して携帯情報端末４０よりＵＲＬを指定した接続要求が行われたときに起動する手段であり，この手段の起動によって前述の決済処理サーバ１０は，該要求を行った携帯情報端末４０のブラウザに，指定されたＵＲＬに対応するＷｅｂページを表示させる。
【００７２】
一例として，前述の誘導情報が，個別決済ページを含むＷｅｂサイトの検索ページ６０のＵＲＬと，売上コードの組合せによって構成されている場合，顧客の携帯情報端末より前記ＵＲＬを指定した接続要求が行われると，決済ページ表示手段１０ｂは，先ず，一例として図４に示すように売上コードの入力欄６１と，図中「次へ」と記載された送信ボタン６２が表示された検索ページ６０（図４，では「カード決済ページ（トップ）」と記載）を，接続要求を行った携帯情報端末４０に表示させる。
【００７３】
そして，決済ページ表示手段１０ｂは，図５に示すように前記携帯情報端末４０において入力欄６１に，誘導情報として通知した売上コードの入力が行われると共に，送信ボタン６２をクリック乃至はタップすることにより，携帯情報端末４０より個別決済ページ７０への移動要求が行われると，一例として図６に示す個別決済ページ７０を該入力を行った携帯情報端末４０に表示させる。
【００７４】
また，決済処理サーバ１０により出力された誘導情報が，個別決済ページ７０のＵＲＬを直接特定したものである場合であって，携帯情報端末４０よりこのＵＲＬを指定した接続要求が行われた場合には，決済ページ表示手段１０ｂは，一例として図６に示す個別決済ページ７０を，接続要求を行った携帯情報端末４０に直接表示させる。
【００７５】
照会実行手段１０ｃ
前述の決済ページ表示手段１０ｂによって携帯情報端末４０のブラウザに表示させた個別決済ページ７０の入力欄７２にクレジットカード番号，有効期限の入力を行うと共，決済要求（図４において，「決済する」と記載された送信ボタン７２ｃのクリック乃至はタップ）が行われ，決済処理サーバ１０がこの決済要求を受信すると，前述した照会実行手段１０ｃが起動し，決済処理サーバ１０は，入力されたカード番号，有効期限と共に，売上金額，売上に係る店舗の入金先口座等を必要に応じて売上サーバ１２が管理する記憶手段１３より取得して，これを決済代行業者の照会システム５０に送信して，決済の照会を実行する。
【００７６】
なお，決済処理サーバ１０では，携帯情報端末４０より受信したカード情報を記録することなく，そのまま決済代行業者の照会システム５０に送信することで，決済処理サーバ１０を介して顧客のカード情報が漏洩する危険を回避するものとしても良い。
【００７７】
照会結果出力手段１０ｄ
照会結果出力手段１０ｄは，前述の照会実行手段１０ｃによる照会要求後，決済代行業者の照会システム５０からの照会結果を受信することにより起動する手段であり，この手段の起動により決済処理サーバ１０は，決済代行業者の照会システム５０より受信した照会結果を，決済要求を行った携帯情報端末４０及び該決済要求に係る取引が行われた店舗の店舗レジスタ３０に出力する。
【００７８】
携帯情報端末４０及び店舗レジスタ３０に対する照会結果の出力は，決済の承認，又は決済拒否のいずれの場合においても行われる。
【００７９】
〔店舗レジスタ〕
前述の店舗レジスタ３０は，本発明の方法によるカード決済を利用する各店舗に設置されたものであり，本実施形態にあっては，一例として前述したＷｅｂ−ＰＯＳを提供するＡＳＰとの間でＷｅｂ−ＰＯＳサービスの利用契約を行っている店舗に設置されているＰＯＳレジスタがこれに該当するが，これに限定されない。
【００８０】
この店舗レジスタ３０は，レジスタとして要求される一般的な機能を実現するために，一例として図３に示すようにキーボード３３やバーコードリーダ３４等の入力手段，金銭を収納しておくためのドロア３５，レシートを印刷するためのプリンタ３６，入力項目，その他の必要な表示を行うためのディスプレイ３２，３７，管理センターに設けた決済処理サーバ１０との間で通信を行うための通信機能，必要な計算や集計，その他のデータ処理を行うと共に，前記各部を統括的に制御する，図示せざる中央処理装置等を備えている。
【００８１】
本実施形態にあっては，前述したＷｅｂ−ＰＯＳシステムを構成する前述のＰＯＳレジスタの持つ通信機能を利用して，ＰＯＳサーバ１１と売上サーバ１２によって構成される決済処理サーバ１０とインターネットを介して通信可能としている。
【００８２】
更に，本実施形態にあっては，この店舗レジスタ３０を，図３に示すように中央処理装置（図示せず），プリンタ３６，通信手段（図示せず），及び料金ディスプレイ３７を備えた本体３１と，タッチパネル等の入力手段を備えた可搬式ディスプレイ３２，金銭を収容するドロア３５，バーコードリーダ３４やキーボード３３等の入力手段をそれぞれ別個の部品として構成し，これらを無線乃至は有線接続によって組み合わせることで，各店舗毎の用途に応じて必要となる部品を組み合わせて成る店舗レジスタ３０を構築することができるようにしている。
【００８３】
好ましくは，この店舗レジスタ３０の前記本体３１には，３ＧＷｉＦｉ等のスマートフォン等において一般的に採用されている通信方式の無線送受信手段（図示せず）を設ける。
【００８４】
このような通信機能を設けることで，前述した可搬式ディスプレイ３２として，同様に３ＧＷｉＦｉ等の前記本体３１の通信規格に適合した通信規格を持つ一例として携帯電話機，スマートフォンや電子ブックリーダ等の市販されているＰＤＡを前述の可搬式ディスプレイ３２として利用することができ，これにより可搬式ディスプレイ３２を本体３１から分離して使用することができるようにすると共に，１台の本体３１に対し，複数台（図示の例では３台）の可搬式ディスプレイ３２を設けることで，例えばレジが混み合った場合等には，それぞれの可搬式ディスプレイ３２を使用して，複数の顧客の精算を同時に行うことで，精算処理能力を向上させることができるようにしても良い。
【００８５】
図示の実施形態にあっては，可搬式ディスプレイ３２をタッチパネル型のものとして示しているが，可搬式ディスプレイ３２は，タッチパネル機能に代え，又はタッチパネル機能と共に，携帯電話機のような操作キーを備えたものであっても良い。
【００８６】
なお，このように店舗レジスタ３０の本体３１に３ＧＷｉＦｉ等の無線送受信手段を設ける場合には，本体３１を前述した可搬式ディスプレイ３２のターミナルとして使用するだけでなく，例えば店内で顧客が使用する携帯情報端末についても，照会ＩＤ等の入力を必要とせずに接続可能とすることで，本体３１と通信規格が適合する顧客の携帯情報端末４０をインターネットに接続する際のターミナルとして開放するものとしても良い。
【００８７】
また，本体３１の無線通信機能は，本体３１自体を移動体通信網に対して無線接続可能とする機能を有していることが好ましく，使用状況に合わせて図１に示すように有線又は無線のいずれの方法によってもインターネットに接続することができるようにする。
【００８８】
更に，図３に示すように本体３１と可搬式ディスプレイ３２とを分離可能とした構成にあっては，好ましくは，前述した店舗レジスタ３０の構成部品中，少なくとも本体３１と可搬式ディスプレイ３２にそれぞれバッテリ（図示せず）を設けるものとしても良い。
【００８９】
このバッテリは，本体３１乃至は可搬式ディスプレイ３２に内蔵されたものであっても良く，又は本体３１乃至はディスプレイ３２に外付けされたものであっても良い。
【００９０】
この場合において，ドロア３５，バーコードリーダ３４，キーボード３３等を本体に対して接続する必要があれば，これらの部品に対する駆動電力を本体３１，又は本体３１に外付けしたバッテリより供給できるようにしても良く，又は，ドロア３５，バーコードリーダ３４，キーボード３３等に対しても独立して，又は複数部品間で共用するバッテリを設けるものとしても良く，このように構成することで，店舗レジスタ３０に対する電力の供給が停止した場合であっても，バッテリの持続時間は店舗レジスタ３０の使用を継続することが可能であり，例えば停電等によって電力の供給が止まった場合であっても店舗の営業を継続することが可能となると共に，停電下でも周辺の移動体通信網が機能していればカード決済を行うことが可能となる。
【００９１】
なお，図３中の符号３８で示す部材は，携帯電話機やスマートフォン等の携帯情報端末に一般に搭載されているＩＳＯ／ＩＥＣ １４４４３規格等の非接触型ＩＣカードに対して非接触でデータを書き込み可能なＩＣカードライタであり，このようなＩＣカードライタ３８を店舗レジスタ３０の構成に含めても良い。
【００９２】
以上のように構成された店舗レジスタ３０は，売上情報の入力処理，及びその後の決済処理サーバからの各種返信に従い，予め本体３１に記憶されているプログラムの実行によって売上明細情報出力手段３０ａ，誘導情報表示／印刷手段３０ｂ，ＵＲＬ書込手段３０ｃ，及び，レシート印刷手段３０ｄの各手段が実現される。
【００９３】
売上明細情報出力手段３０ａ
このうち，売上明細情報出力手段３０ａは，前述した決済処理サーバ１０に対し，本実施形態にあっては販売時点情報でもある売上明細情報の出力を行うものであり，一例として，店員が商品のタグ等に表示されているバーコードをバーコードリーダ３４等で読み取り，又は，タグに表示されている値段や商品コード等をキーボード３３，可搬式ディスプレイ３２のタッチパネル等を使用して入力することで，店舗レジスタ３０において売上情報の入力を行うと共に，必要な情報，例えば現金又はクレジットカード等の精算方法の別，現金による精算を選択した場合には預かり金額等を入力して，「決定（Enter）」ボタンを押すと，予め記憶されている所定のプログラムの実行により店舗レジスタ３０で売上明細情報出力手段３０ａが起動し，この売上明細情報出力手段３０ａの起動によって，入力された売上情報と共に，必要な情報，例えば予め店舗レジスタ３０に記憶されている店舗コード等の店舗を特定するための情報，店舗レジスタ３０に設けられているクロックより取得された販売年月日に関する情報，売上情報と共に入力した販売担当者の氏名，その他必要な情報を，売上明細情報として管理センターに設けた決済処理サーバ１０に対して出力する。
【００９４】
誘導情報表示／印刷手段３０ｂ
店舗レジスタ３０で実現される前述の手段のうち，誘導情報表示／印刷手段３０ｂは，店舗レジスタ３０が，前述した決済処理サーバ１０より「誘導情報」を受信することにより起動する手段であり，この手段の起動によって店舗レジスタ３０は受信した誘導情報を店舗レジスタ３０に設けた可搬式ディスプレイ３２に表示し，及び／又は，レシート印刷用のプリンタ３６で印刷する。
【００９５】
この誘導情報表示／印刷手段３０ｂは，誘導情報が誘導先のＷｅｂページのＵＲＬを含むものである場合，このＵＲＬ部分を例えば図１に示すように「ＱＲコード」（登録商標）等の二次元コード，その他，携帯電話機やスマートフォン等の携帯情報端末４０に一般的に設けられているカメラによって読み取り可能なコードに変換して前述の可搬式ディスプレイ３２の画面上に表示し，及び／又は，プリンタ３６で印刷するように構成しても良い。
【００９６】
ＵＲＬ書込手段３０ｃ
前述の店舗レジスタ３０には，携帯電話機やスマートフォン等の携帯情報端末４０に一般的に設けられているＩＳＯ／ＩＥＣ １４４４３規格等の非接触型ＩＣカードに対してデータを書き込むためのＩＣカードライタ３８を更に設けておき，前述した誘導情報にＷｅｂページのＵＲＬが含まれる場合，一例として店舗レジスタ３０に設けられた入力手段，例えば可搬式ディスプレイ３２のタッチパネル上に表示された「ＵＲＬを書き込む」という表示を選択すると，前述のＵＲＬ書込手段３０ｃが起動して，ＩＣカードライタ３８に載置し，又はＩＣカードライタにかざした携帯情報端末の非接触型ＩＣに，前記誘導情報のうちのＵＲＬに係る部分を書き込むように構成しても良い。
【００９７】
このように構成することで，顧客の携帯情報端末４０が，前述したＩＳＯ／ＩＥＣ １４４４３規格等の非接触型ＩＣカードを搭載するものである場合，煩雑なＵＲＬの入力を顧客に行わせることなく，携帯情報端末４０に対し必要なＵＲＬの入力を行うことができる。
【００９８】
レシート印刷手段３０ｄ
前述のレシート印刷手段３０ｄは，前述した決済処理サーバ１０の照会結果出力手段１０ｄより受信した照会結果が，決済の承認である場合，該照会結果の受信により，又は該照会結果の受信後，店舗レジスタ３０に設けられた所定のキー操作によって起動する手段であり，この手段の起動により，決済が照会された取引に係る売上明細情報のレシートが，店舗レジスタ３０に設けたプリンタ３６によって印刷される。
【００９９】
このようなレシートの印刷は，既知の店舗レジスタ３０において行われる一般的なレシートの印刷と同様のものであっても良いが，カード決済を行った売上の売上明細情報を印刷する場合には，顧客用控えとなるレシートと，店舗用控えとなるレシートをそれぞれ印刷すると共に，店舗用控えとなるレシートに，顧客のサイン欄を設けるように構成しても良い。
【０１００】
このように構成することで，店舗側は顧客のサインを得た上で店舗用控えを回収し，保管することで，後にサインの照会が必要となった場合に備えることができる。
【０１０１】
〔携帯情報端末〕
顧客が使用する携帯情報端末４０としては，Ｗｅｂサイト（ＰＣ用サイト，又は携帯用サイトのいずれか）を閲覧可能であり，インターネットを介して前述した決済処理サーバ１０に対し前記ＵＲＬを指定した接続を行うことができるものであれば，如何なるものを使用しても良く，携帯電話機，スマートフォンや電子ブックリーダ等のＰＤＡ，ラップトップ型のパーソナルコンピュータ等，既知の各種の携帯情報端末を使用することができる。
【０１０２】
好ましくは，この携帯情報端末４０は，二次元コード等のコードを読み取り可能なカメラ，非接触型ＩＣのいずれか，好ましくは全てを備えていることが好ましく，更には３ＧＷｉＦｉ等の通信規格に対応した無線通信を行うことができるものであることが好ましく，近年一般的に販売されているスマートフォンは，上記機能をいずれも備えており，本発明における携帯情報端末として好適に使用することができる。
【０１０３】
もっとも，コードリーダの機能を備えたカメラ，非接触型ＩＣカード，３ＧＷｉＦｉ等の通信機能を備えていることは，必ずしも本発明の携帯情報端末４０として使用するための要件ではなく，少なくともインターネットを介してブラウジングを行うことができるものであれば，本発明における携帯情報端末４０として使用することができる。
【０１０４】
〔決済機関の照会システム〕
なお，決済機関の照会システム５０は，カード決済用に信販会社，決済代行業者等の決済機関に設けられているサーバコンピュータ等によって構成されている既知のシステムであり，決済処理サーバ１０からのクレジットカード番号，有効期限，請求金額，店舗情報を伴う照会要求に対し照会作業を行い，照会結果として決済の「承認」乃至は「拒否」を，管理サーバに対して返信するように構成されている。
【０１０５】
図示の実施形態にあっては，このような決済機関の認証システムとして，決済代行業者の照会システムに対し照会を行うものとしており，認証システム５０は，照会結果が決済の「承認」である場合，更に，既知の方法により信販会社等のクレジットカード発行会社のシステムに対して所定の決済処理要求を行い，また，信販会社のシステムは，既知の方法によりクレジットカードの契約者の口座がある金融機関のシステムに対し，所定額の引き落としを要求し，該当する店舗の口座に対する入金処理を行う。
【０１０６】
〔カード決済方法〕
以上のように構成された，本発明のカード決済システム１によって実行されるカード決済方法を，図７〜１０のフロー図を参照ながら説明する。
【０１０７】
本発明のカード決済方法を導入している店舗に来店した顧客が，商品を選択した後に精算のためこの商品をレジに持ち込むと，店員は該商品のタグに表示されたバーコードをバーコードリーダ３４で読み取る等して，店舗レジスタ３０で売上情報の入力が行われる（図７のＳ１）。
【０１０８】
店員は，顧客が選択した全ての商品についての入力が完了した後，顧客によって指定された精算方法を，キーボードやタッチパネル上で「現金」又は「クレジットカード」のボタンを選択する等して指定する（図７のＳ２）。
【０１０９】
精算方法として「現金」を指定した場合，店員は更に預かり金額を入力した後，キーボード乃至はタッチパネル上で「決定（Enter）」を選択する。
【０１１０】
「決定（Enter）」の選択により，店舗レジスタ３０は，売上明細情報出力手段３０ａを起動して，入力された売上情報と共に，必要な情報，一例として該店舗レジスタ３０に予め記憶されている店舗コード，店舗レジスタ３０のクロックより取得した販売日時，レジ操作開始時に入力した販売担当者の氏名，その他の必要な情報と共に，売上明細情報として，管理センターの決済処理サーバ１０に送信する（図７のＳ３）。
【０１１１】
決済処理サーバ１０は，店舗レジスタ３０からの売上明細情報を受信すると（図８のＳ４），誘導情報出力手段１０ａを起動し，受信した売上明細情報を，所定の記憶領域，一例として売上データベース１３ｃの当該店舗に割り当てられた記憶領域に記録する（図８のＳ５）。
【０１１２】
そして，売上明細情報に含まれる精算方法を判定し（図８のＳ６），精算方法がクレジットカード以外の方法，例えば現金，商品券等である場合には，売上データベース１３ｃに精算種別を記録し（図８のＳ７），処理を終了する。
【０１１３】
一方，受信した売上明細情報が，精算方法として「クレジットカード」を指定したものである場合，決済処理サーバ１０によって管理されるＷｅｂサイト中にＷｅｂページである個別決済ページ（図６参照）を生成し，この個別決済ページに顧客の携帯情報端末４０を誘導するための誘導情報を店舗レジスタ３０に対して出力する（図８のＳ８）。
【０１１４】
決済処理サーバ１０からの誘導情報の出力を受信した店舗レジスタ３０は（図７のＳ９），誘導情報表示／印刷手段３０ｂを起動して決済処理サーバ１０より受信した誘導情報を可搬式ディスプレイ３２上に表示し，及び／又はプリンタ３６で印刷する（図７のＳ１０）。
【０１１５】
店員は，このようにして可搬式ディスプレイ３２上に表示され，及び／又はプリンタ３６で印刷された誘導情報を，商品の購入を行った顧客に対して提示する。
【０１１６】
誘導情報の提示を受けた顧客は，この誘導情報に従って自ら携帯情報端末４０を操作して，個別決済ページ７０にアクセスする。
【０１１７】
誘導情報が，前述した個別決済ページ７０のＵＲＬを直接表示するものである場合，又は，個別決済ページ７０を含むＷｅｂサイトの検索ページ６０のＵＲＬと前記売上明細情報に対応する取引を特定する売上コードによって構成されている場合，可搬式ディスプレイ３２上に表示し，及び／又はプリンタ３６で印刷する誘導情報のうち，ＵＲＬに係る部分を，携帯情報端末４０に一般的に設けられているカメラで読み取り可能な「ＱＲコード」（登録商標）等の二次元コード，その他のコードとして表示乃至印刷するものとしても良く（図１参照），このようなコードが提示された顧客は，携帯情報端末４０に設けられたカメラで該コードを読み取り（図９のＳ１１），読み取り結果として携帯情報端末の画面上に表示されたＵＲＬをクリック乃至はタップする等して，個別決済ページ７０（図６参照）乃至は該個別決済ページを含むＷｅｂサイトの検索ページ６０（図４参照）に対する接続要求を行う（図９のＳ１２）。
【０１１８】
携帯情報端末４０からの接続要求が行われると，決済処理サーバ１０は，決済ページ表示手段１０ｂを起動し，携帯情報端末４０より要求されたＵＲＬのＷｅｂページを携帯情報端末４０に表示させる。
【０１１９】
本実施形態にあっては，前述した誘導情報として個別決済ページ７０（図６参照）のＵＲＬを直接出力するものとしており，決済処理サーバ１０の決済ページ表示手段１０ｂは，携帯情報端末４０からの接続要求を受信すると（図８のＳ１３），携帯情報端末４０に，図６に示す個別決済ページ７０を表示させる（図８のＳ１４）。
【０１２０】
携帯情報端末４０の画面上に，図６に示す個別決済ページ７０が表示されると（図９のＳ１５），顧客は，この個別決済ページ７０の取引内容表示欄７１に表示された取引内容を確認し，取引の内容に誤りが無ければ個別決済ページ７０の入力欄７２に設けられているクレジットカード番号の入力欄７２ａにクレジットカード番号を入力する（必要に応じて，図示されていない入力欄を設け，その他の情報についても入力する）と共に，有効期限入力欄７２ｂに，このクレジットカードの有効期限を入力し，図６中に「決済」と記載されている送信ボタン７２ｃを選択して決済申請を行うと，携帯情報端末４０よりクレジットカード番号，有効期限等，その他個別決済ページ７０で入力された情報を含む決済申請が，決済処理サーバに対して出力される（図９のＳ１６）。
【０１２１】
決済処理サーバ１０は，携帯情報端末４０より前述の決済申請を受信すると（図８のＳ１７）照会実行手段１０ｃを起動し，携帯情報端末４０より受信したクレジットカード番号や有効期限等のカード情報，決済額と共に，売上サーバ１２が管理する記憶手段１３に記憶されている情報のうち，必要な情報（例えば当該店舗の店舗マスタ１３ａに記録されている，該店舗の振り込み先口座番号等）を追加して，これらの情報を決済代行業者の照会システム５０に出力して，照会要求を行う（図８のＳ１８）。
【０１２２】
決済処理サーバ１０からの照会要求を受信すると（図１０のＳ１９），決済代行業者の照会システム５０は，既知の方法により照会を行い（図１０のＳ２０），照会結果を決済処理サーバ１０に出力する（図１０のＳ２１）。
【０１２３】
決済処理サーバ１０は，決済代行業者の照会システム５０からの照会結果を受信すると（図８のＳ２２），照会結果が決済の承認又は，拒否のいずれであるかを判定し（図８のＳ２３），照会結果が「承認」である場合，売上データベース１３ｃに記録した対応する売上明細情報に，決済方法が「カード決済」であることを記録すると共に（図８のＳ２４），照会結果出力手段１０ｄを起動し，該照会結果を，携帯情報端末４０と店舗レジスタ３０の双方に対して出力し（図８のＳ２６），決済処理サーバ１０での処理を終了する。
【０１２４】
一方，決済代行業者の照会システム５０からの照会結果が，決済の「拒否」であった場合，これを受信した決済処理サーバ１０は，売上データベースに記録した該当する売上明細情報を削除すると共に（図８のＳ２５），照会結果出力手段１０ｄを起動して該照会結果を，携帯情報端末４０と店舗レジスタ３０の双方に対して出力し（図８のＳ２６），決済処理サーバ１０での処理を終了する。
【０１２５】
この場合，店舗レジスタ３０に対して出力する照会結果には，売上明細情報の再送信を要求するメッセージを含めるものとしても良い。
【０１２６】
決済処理サーバ１０より照会結果を受信（図７のＳ２７）した店舗レジスタ３０は，照会結果が「承認」又は「拒否」のいずれであるかを判定し（図７のＳ２８），照会結果が「承認」である場合，レシート印刷手段３０ｄを起動して，承認がされた取引に係る売上明細をレシートに印刷し（図７のＳ２９），処理を終了する。
【０１２７】
レシート印刷手段３０ｄは，レシートとして顧客用控えと店舗用控えの二種類を印刷すると共に，店舗用控えには，サイン欄を設けておき，レシートの印刷後，店員は，店舗用控えのサイン欄に顧客のサインを受けてこれを回収して店舗用控えとして保管すると共に，顧客用控えを顧客に渡して取引を終了する。
【０１２８】
一方，照会結果が，決済の「拒否」である場合（図７のＳ２８），店員は，可搬式ディスプレイ３２上に表示されている入力情報を再利用し，ここに表示されている入力情報のうち，精算方法を「クレジットカード」以外の方法，例えば「現金」に変更するか，又は，再度の照会を試みるべく，「クレジットカード」を再度選択し（図７のＳ２），その後，「決定（Enter）」を入力して売上明細情報を決済処理サーバに出力することで（図７のＳ３），前述した処理ステップが繰り返される。
【０１２９】
なお，携帯情報端末４０は，決済処理サーバ１０より照会結果を受信すると（図９のＳ３０），照会結果の如何にかかわらず，この照会結果を携帯情報端末４０のディスプレイ上に表示し（図９のＳ３１），処理を終了する。
【０１３０】
なお，店舗レジスタ３０の本体３１に３ＧＷｉＦｉによるターミナルの機能を持たせておくと共に，このターミナルの使用を顧客の携帯情報端末４０に対しても公開しておくことで，顧客の携帯情報端末４０が３ＧＷｉＦｉに対応したものである場合，顧客の携帯情報端末４０は店舗レジスタ３０の本体３１を介してインターネットに接続することができ，顧客の携帯情報端末４０と決済処理サーバ１０間で行われる通信に必要なデータ通信費用を店舗側で負担することで，本システムを利用する際に，顧客に余計な経済的負担が発生することを防止することもできる。
【０１３１】
〔その他〕
なお，前述したように，店舗レジスタ３０の本体３１に，３ＧＷｉＦｉによる無線送受信機能を持たせた場合，例えば３ＧＷｉＦｉ対応の市販の携帯情報端末，例えばスマートフォンや電子ブックリーダ等を店舗レジスタの可搬式ディスプレイ３２として使用することができ，専用設計の可搬式ディスプレイ３２を開発する場合に比較して店舗レジスタ３０を経済的に構築することができる。
【０１３２】
また，このように構成することで，店舗レジスタ３０の本体３１が１台であっても，複数台の可搬式ディスプレイ３２を無線接続して使用することが容易である。
【０１３３】
その結果，例えばレストラン等における精算において，顧客がテーブルに着いたまま精算を行う場合等においても，店員が可搬式ディスプレイ３２をテーブルまで持参することで，レジまで往復することなくその場で精算が可能であり，レジが混み合うといった状態が発生することを回避できると共に，可搬式ディスプレイ３２上に「ＱＲコード」（登録商標）等のコードを表示することで，可搬式ディスプレイ３２の画面を顧客に対して提示することで，顧客は，所定のＵＲＬの入力を簡単に行うことができる。
【０１３４】
更に，前述の可搬式ディスプレイ３２，及び，店舗レジスタ３０の本体３１にバッテリを搭載することで，少なくとも可搬式ディスプレイ３２と本体３１を，外部電源からの電力の供給無しに動作可能とすることができ，好ましくは，前記本体３１に設けたバッテリにより，又は，それぞれ独自にバッテリを設けることで，前記本体３１に接続するドロア３５やバーコードリーダ３４，キーボード３３についても外部電源からの電力の供給無しに動作可能とすることで，例えば停電等によって店舗レジスタ３０に対する電力の供給が停止した場合であっても，店舗レジスタ３０の動作を確保して営業を継続することも可能であり，また，電力供給がされていない屋外，例えばバザー会場等においても店舗レジスタ３０の使用が可能である。
【０１３５】
しかも，店舗レジスタ３０が有する無線送受信機能が，移動体通信網における無線基地局に対する接続機能を有する場合には，停電時，その他の電力供給が受けられない状態での使用においても，例えば携帯電話網等の移動体通信網が機能している場合には，店舗レジスタ３０が有する無線送受信機能によって，移動体通信網の無線基地局等と通信を行うことで，本発明の方法によるカード決済を行うことも可能であり，電力不足等を懸念して計画停電等が行われる地域においても店舗の営業が可能である。
【符号の説明】
【０１３６】
１  カード決済システム
１０  決済処理サーバ
１０ａ  誘導情報出力手段
１０ｂ  決済ページ表示手段
１０ｃ  照会実行手段
１０ｄ  照会結果出力手段
１１  ＰＯＳサーバ（Ｗｅｂサーバ）
１２  売上サーバ（データベースサーバ）
１３  記憶手段
１３ａ  店舗マスタ
１３ｂ  商品／サービスマスタ
１３ｃ  売上データベース
３０  店舗レジスタ
３０ａ  売上明細情報出力手段
３０ｂ  誘導情報表示／印刷手段
３０ｃ  ＵＲＬ書込手段
３０ｄ  レシート印刷手段
３１  本体（店舗レジスタの）
３２  可搬式ディスプレイ
３３  キーボード
３４  バーコードリーダ
３５  ドロア
３６  プリンタ
３７  料金ディスプレイ
３８  ＩＣカードライタ
４０  携帯情報端末
５０  照会システム
６０  検索ページ
６１  売上コード入力欄
６２  送信ボタン
７０  個別決済ページ
７１  取引内容表示欄
７２  入力欄
７２ａ  クレジットカード番号入力欄
７２ｂ  有効期限入力欄
７２ｃ  送信ボタン
【図１】
0005782362.tif 000002
【図２】
0005782362.tif 000003
【図３】
0005782362.tif 000004
【図４】
0005782362.tif 000005
【図５】
0005782362.tif 000006
【図６】
0005782362.tif 000007
【図７】
0005782362.tif 000008
【図８】
0005782362.tif 000009
【図９】
0005782362.tif 000010
【図１０】
0005782362.tif 000011